(57)【要約】【課題】展望用エレベータのかご内に乗った乗客が外部を展望する際の視界の妨げとなったり、かご自体の内部外観を損ねるようなことなく、かご操作盤に所要の電力を的確に供給することができるかご操作盤電源装置を提供する。【解決手段】透明パネルからなる側壁１０ａを備える展望用エレベータのかご１０と、かご１０の側壁１０ａに設けられたかご操作盤１２と、かご１０が昇降する昇降路８と、昇降路８に設けられたマイクロ波発信装置２１と、かご操作盤１２にマイクロ波発信装置２１と対向可能に設けられ、その対向時にマイクロ波発信装置２１から発信されるマイクロ波を受けるマイクロ波受信装置２０と、かご操作盤１２に設けられ、マイクロ波受信装置２０が受けるマイクロ波に基づいて電力を発生させる発電装置２４、およびこの発電装置２４で発電された電力をかご操作盤用の電源として蓄える蓄電装置２５とを具備する。【選択図】    図１
2007055797.tif 000002
【特許請求の範囲】
【請求項１】
透明パネルからなる側壁を備える展望用エレベータのかごと、
前記かごの側壁に設けられたかご操作盤と、
前記かごが昇降する昇降路と、
前記昇降路に設けられたマイクロ波発信装置と、
前記かご操作盤に前記マイクロ波発信装置と対向可能に設けられ、その対向時に前記マイクロ波発信装置から発信されるマイクロ波を受けるマイクロ波受信装置と、
前記かご操作盤に設けられ、前記マイクロ波受信装置が受けるマイクロ波に基づいて電力を発生させる発電装置、およびこの発電装置で発電された電力を前記かご操作盤用の電源として蓄える蓄電装置と、
を具備することを特徴とする展望用エレベータのかご操作盤電源装置。
【請求項２】
前記マイクロ波発信装置は昇降路の所定の階床の位置に設けられ、前記かごがその階床の位置に停止したときに、その停止の信号に基づき作動してマイクロ波を発信することを特徴とする請求項１に記載の展望用エレベータのかご操作盤電源装置。
【請求項３】
前記かご操作盤の蓄電装置における蓄電残量を検出する検出手段と、この検出手段により前記蓄電装置の蓄電残量が一定以下に減少したことが検出されたときに、その検出の信号に基づいて前記かごを前記マイクロ波発信装置が配置されている位置にまで移動させる制御手段とを備えることを特徴とする請求項１または２に記載の展望用エレベータのかご操作盤電源装置。
【請求項４】
前記マイクロ波発信装置には、前記マイクロ波受信装置に向けて発信するマイクロ波の拡散を防止する筒状のフードが設けられていることを特徴とする請求項１、２または３に記載の展望用エレベータのかご操作盤電源装置。
【請求項５】
透明パネルからなる側壁を備える展望用エレベータのかごと、
前記かごの側壁に設けられたかご操作盤と、
前記かごに設けられたマイクロ波発信装置と、
前記かご操作盤に前記マイクロ波発信装置と対向して設けられ、前記マイクロ波発信装置が発信するマイクロ波を受けるマイクロ波受信装置と、
前記かご操作盤に設けられ、前記マイクロ波受信装置が受けるマイクロ波に基づいて電力を発生させる発電装置、およびこの発電装置で発電された電力を前記かご操作盤用の電源として蓄える蓄電装置と、
を具備することを特徴とする展望用エレベータのかご操作盤電源装置。
【発明の詳細な説明】
【技術分野】
【０００１】
この発明は、エレベータのかご内に設けられるかご操作盤の電源を確保するための電源装置に関する。
【背景技術】
【０００２】
エレベータのかご内には、行先階を登録する登録用の押し釦やその押し釦を照光して登録の有無などを表示する光源などを備えるかご操作盤が設けられている。このかご操作盤には接続ケーブルを通して外部の電源装置から電力が供給され、この電力が押し釦の操作に応じる信号の出入力用の電源や前記光源の点灯用の電源として用いられる。
【０００３】
ところで近年、かごの側壁をガラス等の透明パネルで構成し、かご内の乗客がかごの外を展望することができる展望用エレベータが採用されるようになってきている。図６にはこのような展望用エレベータのかご１の内部の外観を示してあり、透明パネルからなる側壁２にかご操作盤３が取り付けられ、このかご操作盤３に電力を供給するための電源ケーブル４が側壁２に配線されている。
【０００４】
なお、特開２００２−３２１８７９公報などに見られるように、かご操作盤の押し釦に関する信号の出入力を無線通信で行なうようにしたものが知られているが、この場合においてもかご操作盤にはその信号出入力用の電源や光源の点灯用の電源は必要である。
【特許文献１】特開２００２−３２１８７９公報
【発明の開示】
【発明が解決しようとする課題】
【０００５】
しかしながら、図６に示す展望用エレベータのように、透明パネルからなる側壁２に電源ケーブル４が這うように配線されていると、その電源ケーブル４がかご１の外部を展望するときの視界の妨げなったり視界を遮ってしまい、またかご１自体の内部外観を損ねてしまうという問題がある。
【０００６】
この発明はこのような点に着目してなされたもので、その目的とするところは、視界の妨げとなったり、かご自体の内部外観を損ねるようなことなく、かご操作盤に所要の電力を供給することができる展望用エレベータのかご操作盤電源装置を提供することにある。
【課題を解決するための手段】
【０００７】
請求項１の発明は、透明パネルからなる側壁を備える展望用エレベータのかごと、前記かごの側壁に設けられたかご操作盤と、前記かごが昇降する昇降路と、前記昇降路に設けられたマイクロ波発信装置と、前記かご操作盤に前記マイクロ波発信装置と対向可能に設けられ、その対向時に前記マイクロ波発信装置から発信されるマイクロ波を受けるマイクロ波受信装置と、前記かご操作盤に設けられ、前記マイクロ波受信装置が受けるマイクロ波に基づいて電力を発生させる発電装置、およびこの発電装置で発電された電力を前記かご操作盤用の電源として蓄える蓄電装置とを具備することを特徴としている。
【０００８】
請求項２の発明は、前記マイクロ波発信装置が昇降路の所定の階床の位置に設けられ、前記かごがその階床の位置に停止したときに、その停止の信号に基づき作動してマイクロ波を発信することを特徴としている。
【０００９】
請求項３の発明は、前記かご操作盤の蓄電装置における蓄電残量を検出する検出手段と、この検出手段により前記蓄電装置の蓄電残量が一定以下に減少したことが検出されたときに、その検出の信号に基づいて前記かごを前記マイクロ波発信装置が配置されている位置にまで移動させる制御手段とを備えることを特徴としている。
【００１０】
請求項４の発明は、前記マイクロ波発信装置には、前記マイクロ波受信装置に向けて発信するマイクロ波の拡散を防止する筒状のフードが設けられていることを特徴としている。
【００１１】
請求項５の発明は、透明パネルからなる側壁を備える展望用エレベータのかごと、前記かごの側壁に設けられたかご操作盤と、前記かごに設けられたマイクロ波発信装置と、前記かご操作盤に前記マイクロ波発信装置と対向して設けられ、前記マイクロ波発信装置が発信するマイクロ波を受けるマイクロ波受信装置と、前記かご操作盤に設けられ、前記マイクロ波受信装置が受けるマイクロ波に基づいて電力を発生させる発電装置、およびこの発電装置で発電された電力を前記かご操作盤用の電源として蓄える蓄電装置とを具備することを特徴としている。
【発明の効果】
【００１２】
この発明によれば、かご内の乗客が外部を展望する際の視界の妨げとなったり、かご自体の内部外観を損ねるようなことなく、かご操作盤に所要の電力を的確に供給することができる。
【発明を実施するための最良の形態】
【００１３】
以下、この発明の実施の形態について図１ないし図４を参照して説明する。
【００１４】
図１にはこの発明の第１の実施形態を示してあり、昇降路８内にメインロープ９を介してかご１０が吊り下げられ、このかご１０が昇降路８内で巻上機（図示せず）による駆動で昇降する。昇降路８は建物の外壁部に設置され、例えばガラス等の透明パネルで囲まれて、あるいは複数の枠材で囲まれて構成されている。また、かご１０は側壁がガラス等の透明パネルで構成され、このかご１０内に乗り込んだ乗客がその透明パネルを通して外部を展望することができるようになっている。
【００１５】
かご１０内には、透明パネルからなる両側の側壁１０ａにそれぞれかご操作盤１２が取り付けられている。かご操作盤１２の表面には、図２に示すように、かご１０の行先階を登録するための複数の押し釦１３が設けられている。各押し釦１３は例えば透光性材料で形成され、これら押し釦１３の内側に押し釦１３を照光して行先階の登録の有無を表示する光源１４が設けられている。さらに、かご操作盤１２の表面にはかご１の行先方向を示す方向指示パネル１５が設けられ、これら方向指示パネル１５の内側に方向指示パネル１５を照光して行先方向を表示する光源１６が設けられている。
【００１６】
かご１０の側壁１０ａの外面には、各かご操作盤１２の裏面に対向してそれぞれマイクロ波受信装置２０が取り付けられ、また昇降路８の途中には前記マイクロ波受信装置２０に対応するマイクロ波発信装置２１が設けられている。マイクロ波発信装置２１は、かご１０が着床して停止する所定の特定階に対応する位置に配置され、かご１０がその特定階に着床して停止した際にマイクロ波受信装置２０の受信部２０ａがマイクロ波発信装置２１の発信部２１ａに対向するようになっている。
【００１７】
かご操作盤１２の内部には、前記マイクロ波受信装置２０で受けたマイクロ波により電力を発生させる発電装置２４およびこの発電装置２４により発電された電力を蓄電する蓄電装置２５が設けられている。
【００１８】
さらに、かご操作盤１２の内部には第１の無線通信装置２８が、かご１０の上部に第２の無線通信装置２９がそれぞれ設けられ、この第２の無線通信装置２９がテールコード３０を介してエレベータの運転を制御する制御装置３１に接続されている。そしてかご操作盤１２と制御装置３１との信号のやりとりが第１の無線通信装置２８と第２の無線通信装置２９との間で送受信される無線信号により行なわれるようになっている。
【００１９】
次に本実施形態の作用について説明する。
【００２０】
かご１０は昇降路８内で昇降する。そしてかご１０が特定階に着床して停止すると、かご１０のマイクロ波受信装置２０のが昇降路８内のマイクロ波発信装置２１に対向し、そのマイクロ波発信装置２１の発信部２１ａから発信されるマイクロ波をマイクロ波受信装置２０の受信部２０ａが受ける。かご操作盤１２の内部の発電装置２４は、マイクロ波受信装置２０が受けるマイクロ波に基づいて電力を発生し、さらにその電力が蓄電装置２５に蓄電される。
【００２１】
このようにして、かご１０が特定階に着床して停止する都度、昇降路８内のマイクロ波発信装置２１から発信されるマイクロ波を受けて発電装置２４が発電し、その電力が蓄電装置２５に蓄えられる。  
そして、かご操作盤１２における信号の出入力や光源１４，１６の点灯に要する電力が蓄電装置２５に蓄電されている電力により賄われる。
【００２２】
したがって、かご操作盤１２に対しては電源供給用の電源ケーブルが不要であり、かご１０の透明パネルからなる側壁１０ａに電源ケーブルを這わすような必要がない。このため、かご１０内に乗った乗客が透明パネルの側壁１０ａを通して外部を展望するときの視界が電源ケーブルで妨げられるということがなく、快適に展望を楽しむことができ、また側壁に目障りな電源ケーブルがないためかご１０内の外観およびかご１０を外部から見たときの外観を良好に保つことができる。
【００２３】
なお、昇降路８内のマイクロ波発信装置２１は、エレベータの運転中に常時作動させてもよいが、かご１０が特定階に着床して停止した際に、それを制御装置３１で検出し、その検出に応じてマイクロ波発信装置２１に信号を送り、その信号が入力されたときにのみマイクロ波発信装置２１を作動させてマイクロ波を発信させるように構成する場合であってもよい。
【００２４】
この場合には、かご１０のマイクロ波受信装置２０がマイクロ波を受信可能なときにのみマイクロ波発信装置２１が作動するため、不必要な発信を抑え、無駄な電力の消費を抑えることができる。
【００２５】
また、かご操作盤１２の蓄電装置２５にその蓄電残量を検出する検出手段を設け、蓄電残量が一定以下に低下したときにそれを検出手段で検出し、この検出の信号を制御装置３１に入力し、この入力に基づいて制御装置３１がかご１０を特定階にまで移動させてマイクロ波の受信を可能にするような制御手段を設けることも可能であり、この場合には蓄電装置２５に常時一定以上の電力が蓄えられ、かご操作盤１２に途切れなく必要な電力を供給することができる。
【００２６】
図３には第２の実施形態を示してあり、この実施形態においては、マイクロ波発信装置２１にその発信部２１ａの周囲を囲むように筒状のフード３３が設けられ、発信部２１ａから発信されるマイクロ波がフード３３の内側を通してその前方に放出され、外周囲への拡散が防止されるようになっている。
【００２７】
この場合には、かご１０が特定階に着床して停止すると、かご１０のマイクロ波受信装置２０の受信部２０ａがフード３３の先端面に対向する。そして、マイクロ波発信装置２１の発信部２１ａからマイクロ波受信装置２０の受信部２０ａに向けてマイクロ波が発信されるが、この際、発信部２１ａと受信部２０ａとの間が筒状のフード３３で覆われているから、マイクロ波の外部への拡散を防止して効率よく受信部２０ａへ入射させることができる。
【００２８】
図４には第３の実施形態を示してあり、この実施形態においては、かご１０の上部にマイクロ波発信装置２１が設けられている。そして、このマイクロ波発信装置２１の発信部２１ａがかご１０の側壁の外面に設けられたマイクロ波受信装置２０の受信部２０ａに向けられている。
【００２９】
このような構成においては、かご１０の昇降位置に関わりなく、マイクロ波発信装置２１からマイクロ波受信装置２０にマイクロ波を発信してかご操作盤１２内の蓄電装置２５に常時電力を蓄えて、かご操作盤１２に必要な電力を常時確保することができる。
【００３０】
次に、この発明の応用例を図５を参照して説明する。この応用例は、各階のエレベータホールにおける出入口４０の周囲の壁４１がガラスで構成されている建屋の場合に適用する例である。なお、４２は出入口４０に設けられた三方枠である。
【００３１】
各階のガラス製の壁４１には、かご呼び登録用の押し釦やその押し釦を照光して登録の有無を表示する光源などを備えるホール操作盤４４が取り付けられ、このホール操作盤４４にマイクロ波受信装置２０、発電装置２４、蓄電装置２５が設けられている。そして、かご１０には、前記マイクロ波受信装置２０と対向可能にマイクロ波発信装置２１が設けられている。
【００３２】
この例の場合は、深夜などの乗客がエレベータを利用しない時間帯においてかご１０を運転して順次各階に停止させ、その停止時にかご１０のマイクロ波発信装置２１からホール操作盤４４のマイクロ波受信装置２０に向けてマイクロ波を発信させ、そのマイクロ波に基づいて発電装置２４により発電させ、その電力を蓄電装置２５に蓄電する。
【００３３】
そして、エレベータの通常運転時において、蓄電装置２５に蓄電した電力をホール操作盤４４の信号の出入力や光源の点灯に要する電源として用いる。
【００３４】
ホール操作盤４４はガラス製の壁４１に設けられており、このためガラス製の壁４１に電源ケーブルを這わせ、その電源ケーブルでホール操作盤４４に電源を供給するとなると、電源ケーブルの陰がガラス製の壁４１に映り、不体裁で目障りとなるが、この応用例によれば、ホール操作盤４４の電源をマイクロ波受信装置２０により確保でき、電源ケーブルが不要であり、したがってガラス製の壁４１がすっきりし、良好な外観を保つことができる。  
なお、ホール操作盤４４とエレベータ制御装置などとの間の信号の送受信は無線通信により行なわれる。
【図面の簡単な説明】
【００３５】
【図１】この発明の第１の実施形態に係る展望用エレベータのかご操作盤電源装置を示す構成図。
【図２】その展望用エレベータのかご操作盤の正面図。
【図３】この発明の第２の実施形態に係る展望用エレベータのかご操作盤電源装置を示す構成図。
【図４】この発明の第３の実施形態に係る展望用エレベータのかご操作盤電源装置を示す構成図。
【図５】この発明の応用例を示す構成図。
【図６】従来の技術を説明するための斜視図。
【符号の説明】
【００３６】
８…昇降路
９…メインロープ
１０ａ…側壁
１２…操作盤
１３…押し釦
１４．１６…光源
１５…方向指示パネル
２０…マイクロ波受信装置
２０ａ…受信部
２１…マイクロ波発信装置
２１ａ…発信部
２４…発電装置
２５…蓄電装置
２８…第１の無線通信装置
２９…第２の無線通信装置
３０…テールコード
３１…制御装置
３３…フード
【図１】
2007055797.tif 000003
【図２】
2007055797.tif 000004
【図３】
2007055797.tif 000005
【図４】
2007055797.tif 000006
【図５】
2007055797.tif 000007
【図６】
2007055797.tif 000008